(57)【特許請求の範囲】
【請求項１】
扉を開閉操作するための操作ハンドルが扉の前面に沿って回動自在に枢着されている当該扉の前面に固着される固定本体と、
この固定本体との間に前記操作ハンドルを保持する倒伏位置と当該操作ハンドルを解放する起立位置との間を起伏動作するように、扉の前面と平行で水平の枢軸によって下端側において前記固定本体に枢着され、上下方向に延びるフックレバーと、
このフックレバーに固着され、前記固定本体と前記フックレバーとの間の上部の開放部を被覆するカバー部材と、を具備し、
前記フックレバーは、操作ハンドルが係脱するように上端側の背面部に形成される係合凹部と、前記枢軸と平行に上端側に形成される貫通孔とを具備し、
前記固定本体は、前記フックレバーとの間の相対回転位置に対応してフックレバーを倒伏方向または起立方向に回転付勢するデッドポイントバネ機構を具備し、
前記カバー部材は、前記フックレバーが倒伏位置にあるときに当該フックレバーと前記固定本体の上部を覆って両者間の隙間を閉じる遮蔽部と、フックレバーの上部を嵌合させる嵌合凹部と、フックレバーの前記貫通孔に連通する挿通孔と、を具備し、この挿通孔と貫通孔に挿通される固定部材によりフックレバーに固定されることを特徴とする操作ハンドルの掛金装置。
【請求項２】
前記カバー部材は、前記フックレバーが倒伏位置にあるときに当該フックレバーの前記係合凹部を左右方向に開放するための開放凹部をさらに具備することを特徴とする請求項１に記載の操作ハンドルの掛金装置。
【請求項３】
請求項１又は２に記載の扉開閉用ハンドルの掛金装置用の前記カバー部材。
【発明の詳細な説明】
【技術分野】
【０００１】
本発明は、貨物自動車の荷箱等における観音開き式の扉の操作ハンドルを固定、施・解錠するための掛金装置に関する。
【背景技術】
【０００２】
従来、貨物自動車の荷箱では、観音開き式の２枚の扉の各々にロックシャフトと、それの操作ハンドルを固定するための掛金装置が装備される。ロックシャフトは、垂直方向に設けられ、ロックシャフトの途中に操作ハンドルが枢着されており、扉を閉鎖した後、操作ハンドルでロックシャフトを軸周りに回転させることにより、ロックシャフトの上下端部のロックカムを荷箱本体側のカムキーパーに係合させ、扉を閉鎖位置に保持する（例えば特許文献１の図１２参照）。ロックシャフトをロック位置に回転させた後、操作ハンドルを扉の前面と平行に回転させて掛金装置に係合させる。
掛金装置は、扉に固着される固定本体と、これに起伏自在に枢支されるフックレバーとを具備し、固定本体との間で操作ハンドルを固定したり解放したりする。フックレバーは、上下方向に延び、上部先端側の背面部に操作ハンドルが係脱する係合凹部を有する。またフックレバーは、先端部に、封印部材を装着するための水平方向の貫通孔を有する。固定本体とフックレバーとの間には、両者間の相対回転位置に対応してフックレバーを倒伏方向または起立方向に回転付勢するデッドポイントばね機構が設けられる。固定本体には、フックレバーに隣接して、これを施解錠するための錠前が装着される。フックレバーが倒伏位置にあって、操作ハンドルが係合凹部に係合している状態で、錠前に連動するストッパーがフックレバーを錠止することにより、操作ハンドルがロックされる。解錠してフックレバーを引き起こすと、デッドポイントばね機構がフックレバーを起立方向に回転付勢して保持する。この状態で、操作ハンドルが解放され、開扉操作が可能となる（例えば特許文献２参照）。
【先行技術文献】
【特許文献】
【０００３】
【特許文献１】特開平１１-１７１０４９号公報
【特許文献２】特開平９−２８７３３４号公報
【発明の概要】
【発明が解決しようとする課題】
【０００４】
上記従来の掛金装置は、固定本体とフックレバーとの間が上方に開放しているため、寒冷地においては、両者間の開放部に雪や氷が付着し、それによって操作ハンドルの保持に支障を来すという課題がある。
したがって、本発明は、固定本体とフックレバーとの間の上部の隙間を被覆し、氷雪の付着を防止できるカバー部材と、それを備えた扉開閉用操作ハンドルの掛金装置を提供することを目的としている。
【課題を解決するための手段】
【０００５】
以下、添付図面の符号を参照して説明するが、本発明はこれに限定されるものではない。
上記課題を解決するための、本発明の扉開閉用ハンドルの掛金装置１は、扉Ｄの前面に固着される固定本体２と、固定本体２に起伏自在に枢支されるフックレバー３と、フックレバーに固着されるカバー部材４とを具備する。フックレバー３は、扉Ｄの前面と平行で水平の枢軸３１によって、下端側において固定本体２に枢着され、固定本体２との間で扉Ｄの操作ハンドルＨを保持する倒伏位置と、当該操作ハンドルＨを解放する起立位置との間を起伏動作する。フックレバー３は、上下方向に延び、上端側の背面部に操作ハンドルＨが係脱する係合凹部３２を有し、また上端側に枢軸３１と平行な貫通孔３３を有する。固定本体２は、フックレバー３との相対回転位置に対応してフックレバー２を倒伏方向または起立方向に回転付勢するデッドポイントバネ機構２４を具備する。カバー部材４は、フックレバー３が倒伏位置にあるとき、当該フックレバー３と固定本体２の上部を覆って、両者間の隙間を閉じる遮蔽部４１と、フックレバー３の上部を嵌合させる凹部４３と、フックレバー３の貫通孔３３に連通する挿通孔４５とを具備する。カバー部材４は、この挿通孔４５と貫通孔３３に挿通される固定部材５によりフックレバー３に固定される。
【発明の効果】
【０００６】
本発明の扉開閉用ハンドルの掛金装置１は、固定本体２とフックレバー３との間の上方への開放部が、カバー部材４の遮蔽部４１により閉じられるので、寒冷地において固定本体２とフックレバー３との間に雪や氷が付着することがなく、それによって操作ハンドルＨの保持に支障を来すおそれがない。カバー部材４は、既存の掛け金装置に後付けできる。
【図面の簡単な説明】
【０００７】
【図１】本発明に係る扉開閉用ハンドルの分解斜視図である。
【図２】本発明に係る扉開閉用ハンドルの掛金装置におけるカバー部材の内側から見た斜視図である。
【図３】図１の扉開閉用ハンドルの掛金装置の正面図である。
【図４】図１の扉開閉用ハンドルの掛金装置の側面図である。
【図５】図１の扉開閉用ハンドルの掛金装置の平面図である。
【図６】図１の扉開閉用ハンドルの掛金装置の断面図である。
【図７】図１の扉開閉用ハンドルの掛金装置におけるカバー部材の断面図である。
【発明を実施するための形態】
【０００８】
図面を参照して本発明の実施の形態を説明する。
操作ハンドルの掛金装置１は、固定本体２と、フックレバー３と、カバー部材４とを具備する。
【０００９】
固定本体２は、扉Ｄを開閉操作するための操作ハンドルＨ（図６）が、扉Ｄの前面に沿って回動自在に枢着されている当該扉Ｄの前面に固着される。固定本体２は、上端側の板状の保持部２１と、下端側の前方へ隆起した機構収容部２２とを具備する。機構収容部２２は、フックレバーの過半部分を受け入れる上下方向の溝部２３を有し、また内部には、フックレバー３との間の相対回転位置に対応してフックレバー３を倒伏方向または起立方向に回転付勢するデッドポイントバネ機構２４と、フックレバー３を倒伏位置において鎖錠する錠前２５が設けられる。
【００１０】
フックレバー３は、扉Ｄの前面と平行で水平の枢軸３１によって、下端側において固定本体２に枢着され、上下方向に延びる。それにより、フックレバー３は、先端側が起伏自在であり、倒伏位置において固定本体２との間に操作ハンドルＨを保持し、起立位置において操作ハンドルＨを解放する。フックレバー３は、デッドポイントバネ機構２１により、倒伏位置においてはその位置に回転付勢され、起立途上で死点を超え、起立位置においてはその位置に回転付勢される。フックレバー３は、上端側の背面部に係合凹部３２を有し、これに操作ハンドルＨが係脱するようになっており、また上端部に水平の貫通孔３３を有する。
【００１１】
カバー部材４は、フックレバー３に固着され、固定本体２とフックレバー３との間の上部の開放部を被覆する。すなわち、カバー部材４は、フックレバー３が倒伏位置にあるとき、当該フックレバー３と固定本体２の上部を覆って両者間の隙間を閉じる遮蔽部４１と、フックレバー３の係合凹部３２を左右方向に開放するための開放凹部４２とを外側に具備し、内側には、フックレバー３と固定本体２の上部を嵌合させる嵌合凹部４３，４４を具備する。嵌合凹部４３は、フックレバー３の上部の前面側を受ける溝型凹部４３ａと、フックレバー３の上端部全周を包囲するように受け入れる保持凹部４３ｂとからなる。保持凹部４２ｂ内にフックレバー３の上端部が嵌合された状態で、貫通孔３３に連通する挿通孔４５が設けられ、これに固定部材５が挿通される。固定部材５により、フックレバー３とカバー部材４とが結合される。図示の実施形態において、固定部材５は、金属線材を概略矩形環状に屈曲させてなり、両端の軸部５１が挿通孔４５と貫通孔３３に回転自在に挿通される。カバー部材４は、既存の掛け金装置に後付けすることができる。寒冷地仕様の掛金装置を別途用意する必要がない。
【００１２】
操作ハンドルＨを扉の前面と平行に回転させて掛金装置１に係合させる操作は、カバー部材４を有しない従来の掛金装置と同様である。すなわち、例えば、フックレバー３をカバー部材４と一体に引き起こした状態で、フックレバー３と固定本体２との間に操作ハンドルＨを介入させた後、フックレバー３をカバー部材４と一体に固定本体２側に倒伏させる。これで、操作ハンドルＨは、フックレバー３の係合凹部３２とカバー部材４の開放凹部４２を左右に貫通した形で、固定本体２とフックレバー３との間に把持される。錠前２５をキー操作して施錠すれば、固定本体２とフックレバー３とが鎖錠され、操作ハンドルＨがロックされる。この状態において、固定本体２とフックレバー３との間の上部の隙間はカバー部材４の遮蔽部４１に覆われるので、雪が隙間に吹き込むことはなく、したがって、凍結して操作ハンドルＨの保持に支障を来すおそれがない。錠前２５を解錠してフックレバー３とカバー部材と４とを一体に引き起こせば、操作ハンドルＨを解放することができる。
【符号の説明】
【００１３】
１    掛金装置
２    固定本体
２１  板状の保持部
２２  機構収容部
２３  溝部
２４  デッドポイントバネ機構
２５  錠前
３    フックレバー
３１  枢軸
３２  係合凹部
３３  貫通孔
４    カバー部材
４１  遮蔽部
４２  開放凹部
４３  嵌合凹部
４３ａ  溝型凹部
４３ｂ  保持凹部
４４  嵌合凹部
４５  挿通孔
５    固定部材
５１  軸部
Ｄ    扉
Ｈ    操作ハンドル
【図３】
0005647207.tif 000002
【図４】
0005647207.tif 000003
【図５】
0005647207.tif 000004
【図６】
0005647207.tif 000005
【図７】
0005647207.tif 000006
【図１】
0005647207.tif 000007
【図２】
0005647207.tif 000008